(57)【特許請求の範囲】
【請求項１】
情報データにオーバヘッドと誤り訂正符号とを付加して形成された伝送フレームを伝送する光通信システムにおける誤り訂正方法であって、
ＦＥＣフレームがＯＴＵ３Ｖフレームの場合とＯＴＵ４Ｖフレームの場合のいずれか一方に対するクライアント信号を収容する前記ＦＥＣフレームのＦＥＣ冗長領域の大きさを前記クライアント信号に応じて調整することで、前記ＯＴＵ３ＶフレームからなるＦＥＣフレームの伝送速度に対する前記ＯＴＵ４ＶフレームからなるＦＥＣフレームの伝送速度の比を２倍とする
ことを特徴とする誤り訂正方法。
【請求項２】
請求項１に記載の誤り訂正方法において、
前記ＯＴＵ４Ｖの列数が４６０８、前記ＯＴＵ３Ｖの列数が５６９６である
ことを特徴とする誤り訂正方法。
【請求項３】
請求項１に記載の誤り訂正方法において、
前記ＯＴＵ４Ｖの列数が４０８０、前記ＯＴＵ３Ｖの列数が５２８０である
ことを特徴とする誤り訂正方法。
【請求項４】
情報データにオーバヘッドと誤り訂正符号とを付加して形成された伝送フレームを伝送する光通信システムにおける誤り訂正装置であって、
クライアント送信信号の光チャネル伝送フレームへのマッピングに基づいて光伝送フレームを生成して送信信号を出力すると共に、受信信号の入力に基づきクライアント信号を光チャネル伝送フレームからデマッピングしクライアント受信信号を出力する光伝送フレーマと、
前記光伝送フレーマからの送信信号に対して誤り訂正符号により符号化するＦＥＣエンコーダと、
前記エンコーダの出力信号をＤ／Ａ変換して光送信信号を通信路に出力するＤ／Ａ変換器と、
通信路からの光受信信号をアナログ信号に変換するＡ／Ｄ変換器と、
前記Ａ／Ｄ変換器の出力から受信データの復号を行い、誤りを訂正して受信信号を前記光伝送フレーマへ出力するＦＥＣデコーダと
を備えると共に、
前記Ｄ／Ａ変換器と前記Ａ／Ｄ変換器とに、異なる信号種別のクライアント信号に応じてサンプリングクロックを変更するクロック生成手段をそれぞれ備え、ＦＥＣフレームがＯＴＵ３Ｖフレームの場合とＯＴＵ４Ｖフレームの場合のいずれか一方に対するクライアント信号を収容する前記ＦＥＣフレームのＦＥＣ冗長領域の大きさを前記クライアント信号に応じて調整することで、前記ＯＴＵ３ＶフレームからなるＦＥＣフレームの伝送速度に対する前記ＯＴＵ４ＶフレームからなるＦＥＣフレームの伝送速度の比を２倍とする
ことを特徴とする誤り訂正装置。
【請求項５】
請求項４に記載の誤り訂正装置において、
前記クロック生成手段は、
前記エンコーダまたは前記デコーダからの参照クロックとフィードバッククロックとを比較する位相比較器と、
前記位相比較器からの比較結果を平滑化するフィルタと、
平滑化された位相誤差信号の電圧に応じた周波数を出力するＶＣＯと、
前記ＶＣＯの出力を２分周する２分周器と、
前記クライアント信号に応じて前記ＶＣＯからのクロックと前記２分周器からのクロックとのいずれかを選択し、サンプリングクロックを出力するセレクタと、
前記セレクタからのサンプリングクロックをＮ分周して（Ｎは正の自然数）、前記フィードバッククロックを前記位相比較器へ出力するＮ分周器と
を有する
ことを特徴とする誤り訂正装置。
【発明の詳細な説明】
【技術分野】
【０００１】
この発明は、光通信システムなどのディジタル通信装置に適用される誤り訂正方法及び装置に関するものである。
【背景技術】
【０００２】
従来の誤り訂正方法及び装置では、誤り訂正符号化方式（ＦＥＣ：Forward Error Correction）として、Reed-Solomon符号ＲＳ（255,239）が適用されている（例えば、非特許文献１参照）。また、ＬＤＰＣ（Low−Density Parity-Check）符号を内符号とし、ＲＳ符号を外符号とする誤り訂正方法も提案されている（例えば、特許文献１参照）。【０００３】
上記非特許文献１および特許文献１による誤り訂正符号化方式を用いた誤り訂正装置では、伝送速度によらず、同一の情報領域と冗長領域からなるフレーム構成に基づいた誤り訂正装置としていた。例えば、１０Ｇｂ／ｓのクライアント信号に対しては、ＯＴＵ２（Optical channel Transport Unit-2）フレームにより伝送速度は１０．７Ｇｂ／ｓ、４０Ｇｂ／ｓのクライアント信号に対しては、ＯＴＵ３（Optical channel Transport Unit-3）フレームにより伝送速度は４３．０Ｇｂ／ｓとしていた。
【先行技術文献】
【特許文献】
【０００４】
【特許文献１】特開２００９−１７１６０号公報
【非特許文献】
【０００５】
【非特許文献１】ITU-T Recommendation G.709/Y.1331 Interface for the Optical Transport Network(OTN), Annex A, ITU-T Rec.G.709/Y.1331(03/2003)
【発明の概要】
【発明が解決しようとする課題】
【０００６】
従来の誤り訂正方法及び装置では、同一の情報領域と冗長領域からなるフレーム構成に基づいた構成としていたので、異なる信号種別のクライアント信号に対するＯＴＵｋフレームの伝送速度、例えば、１００Ｇｂ／ｓのクライアント信号に対するＯＴＵ４フレームの伝送速度１１１．８Ｇｂ／ｓは、４０Ｇｂ／ｓのクライアント信号に対するＯＴＵ３フレームの伝送速度４３．０Ｇｂ／ｓに対して約２．６倍となる。したがって、誤り訂正装置を構成するためのアナログ／ディジタル変換器、ディジタル／アナログ変換器やＳｅｒＤｅｓ（Serializer/De-serializer）などを、ＯＴＵ４とＯＴＵ３双方の処理に共用化するためには、これら機能に必要なクロック生成回路、例えば、ＣＭＵ（Clock Multiplier Unit）、ＰＬＬ（Phase Lock to Loop）やＣＤＲ（Clock-Data Recovery）などを２種類の大幅に異なる周波数で動作させる必要がある。このため、ＣＭＵ、ＣＤＲやＰＬＬの動作周波数範囲を広くするとジッタ等のクロック品質が劣化し、伝送性能が劣化する問題点があった。また、２つのＶＣＯ（Volatge-controlled Oscillator）を設け、伝送速度に対応して用いるＶＣＯを切り替えることで、クロック品質の劣化を防ぐことができるが、回路規模が増大する問題点があった。【０００７】
この発明は上記のような問題点を解決するためになされたもので、ジッタ等による性能劣化なしで、省回路規模で共用化し、高品質で高速な光通信システムを提供することができる誤り訂正方法及び装置を得ることを目的とする。
【課題を解決するための手段】
【０００８】
この発明に係る誤り訂正方法は、情報データにオーバヘッドと誤り訂正符号とを付加して形成された伝送フレームを伝送する光通信システムにおける誤り訂正方法であって、ＦＥＣフレームがＯＴＵ３Ｖフレームの場合とＯＴＵ４Ｖフレームの場合のいずれか一方に対するクライアント信号を収容する前記ＦＥＣフレームのＦＥＣ冗長領域の大きさを前記クライアント信号に応じて調整することで、前記ＯＴＵ３ＶフレームからなるＦＥＣフレームの伝送速度に対する前記ＯＴＵ４ＶフレームからなるＦＥＣフレームの伝送速度の比を２倍とすることを特徴とする。
【０００９】
また、この発明に係る誤り訂正装置は、  情報データにオーバヘッドと誤り訂正符号とを付加して形成された伝送フレームを伝送する光通信システムにおける誤り訂正装置であって、クライアント送信信号の光チャネル伝送フレームへのマッピングに基づいて光伝送フレームを生成して送信信号を出力すると共に、受信信号の入力に基づきクライアント信号を光チャネル伝送フレームからデマッピングしクライアント受信信号を出力する光伝送フレーマと、前記光伝送フレーマからの送信信号に対して誤り訂正符号により符号化するＦＥＣエンコーダと、前記エンコーダの出力信号をＤ／Ａ変換して光送信信号を通信路に出力するＤ／Ａ変換器と、通信路からの光受信信号をアナログ信号に変換するＡ／Ｄ変換器と、前記Ａ／Ｄ変換器の出力から受信データの復号を行い、誤りを訂正して受信信号を前記光伝送フレーマへ出力するＦＥＣデコーダとを備えると共に、前記Ｄ／Ａ変換器と前記Ａ／Ｄ変換器とに、異なる信号種別のクライアント信号に応じてサンプリングクロックを変更するクロック生成手段をそれぞれ備え、ＦＥＣフレームがＯＴＵ３Ｖフレームの場合とＯＴＵ４Ｖフレームの場合のいずれか一方に対するクライアント信号を収容する前記ＦＥＣフレームのＦＥＣ冗長領域の大きさを前記クライアント信号に応じて調整することで、前記ＯＴＵ３ＶフレームからなるＦＥＣフレームの伝送速度に対する前記ＯＴＵ４ＶフレームからなるＦＥＣフレームの伝送速度の比を２倍とすることを特徴とする。
【発明の効果】
【００１０】
この発明によれば、ＦＥＣフレームがＯＴＵ３Ｖフレームの場合とＯＴＵ４Ｖフレームの場合のいずれか一方に対するクライアント信号を収容するＦＥＣフレームにおいて、ＦＥＣ冗長領域の大きさを前記クライアント信号に応じて調整することで、前記ＯＴＵ３ＶフレームからなるＦＥＣフレームの伝送速度に対する前記ＯＴＵ４ＶフレームからなるＦＥＣフレームの伝送速度の比を２倍とし、ジッタ等による性能劣化なしで、省回路規模で共用化し、高品質で高速な光通信システムを提供することができる。
【図面の簡単な説明】
【００１１】
【図１】この発明の実施の形態１に係る誤り訂正方法及び装置の説明に用いたディジタル伝送システムを示す構成図である。
【図２】図１に示す光伝送装置１ａ、１ｂの詳細を示す構成図である。
【図３】ITU-T Recommendation G.709に示されたＯＴＵｋフレームを示す構造図である。
【図４】（ａ）は軟判定ＦＥＣエンコーダ２０１の出力信号および軟判定ＦＥＣデコーダ２０６の入力信号における伝送フレームの構成（ＯＴＵ４Ｖフレームフォーマット）を示し、（ｂ）は軟判定ＦＥＣエンコーダ２０１の出力信号および軟判定デコーダ２０６の入力信号における伝送フレームの構成（ＯＴＵ３Ｖフレームフォーマット）を示す図である。
【図５】図２に示すＣＭＵ２０７および２０８の詳細を示す構成図である。
【図６】外符号としてＯＴＵｋフレームと同一の硬判定ＦＥＣ冗長領域とする実施の形態２に係り、（ａ）及び（ｂ）は、図４（ａ）及び（ｂ）に対応する伝送フレームの構成図である。
【図７】実施の形態３に係る伝送フレームを示すもので、（ａ）及び（ｂ）は、図４（ａ）及び（ｂ）に対応する伝送フレームの構成図である。
【図８】軟判定ＦＥＣ符号のみを用い、ＦＥＣ冗長領域をＯＴＵ４ＶとＯＴＵ３Ｖで変更するよう構成した場合の実施の形態３に係る伝送フレームを示し、（ａ）及び（ｂ）は、図４（ａ）及び（ｂ）に対応する伝送フレームの構成図である。
【発明を実施するための形態】
【００１２】
実施の形態１．
図１は、この発明の実施の形態１に係る誤り訂正方法及び装置の説明に用いたディジタル伝送システム（以下、単に「伝送システム」という）を示す構成図である。図１において、光伝送装置１ａ、１ｂは、情報データにオーバヘッドと誤り訂正符号とを付加して形成された伝送フレームを伝送する光通信システムに用いられるものであって、クライアント送受信信号と光送受信信号の相互変換、例えば、クライアント信号と光伝送フレームとのマッピング、デマッピング処理や、誤り訂正符号化および復号処理、電気／光変換などを行い、通信路２を介して、光伝送装置１ａおよび１ｂ間で双方向通信を行う。
【００１３】
図２は、図１に示した光伝送装置１ａ、１ｂの詳細を示す構成図である。図２に示す光伝送装置１ａ、１ｂは、異なる信号種別のクライアント信号を収容するＦＥＣフレームのＦＥＣ冗長領域の大きさをクライアント信号に応じて調整することで、それぞれのクライアント信号に対するＦＥＣフレームの伝送速度の関係をＮ倍（Ｎは正の自然数）近傍とするものであって、図２において、ＯＴＵｋ（Optical channel Transport Unit-k）フレーマ１０は、クライアント送信信号をＯＴＵｋフレームにマッピングし、フレーム同期や保守制御に必要な情報を付加して光伝送フレームを生成し、ＳＦＩ（Serdes Frame Interface）送信信号をディジタル信号処理光トランシーバ２０へ出力するＯＴＵｋフレーム生成１０１と、ディジタル信号処理光トランシーバ２０からのＳＦＩ受信信号に対してフレーム同期や保守制御に必要な情報を終端し、クライアント信号をＯＴＵｋフレームからデマッピングし、クライアント受信信号を出力するＯＴＵｋフレーム終端１０３とから構成される。ＯＴＵｋフレーム生成１０１は硬判定ＦＥＣエンコーダ１０２を有し、ＯＴＵｋフレーム終端１０３は硬判定ＦＥＣデコーダ１０４を有している。
【００１４】
また、ディジタル信号処理光トランシーバ２０は、ＯＴＵｋフレーマ１０からのＳＦＩ送信信号に対して軟判定用の誤り訂正符号により符号化する軟判定ＦＥＣエンコーダ２０１と、軟判定ＦＥＣエンコーダ２０１の出力信号をＤ／Ａ（ディジタル／アナログ）変換するＤ／Ａ変換２０２と、Ｄ／Ａ変換２０２からのアナログ信号を光信号に変換して光送信信号を通信路に出力するＥ／Ｏ（電気／光）２０３と、通信路からの光受信信号をアナログ信号に変換して出力するＯ／Ｅ（光／電気）２０４と、アナログ信号をｑビットの軟判定受信データに変換するＡ／Ｄ（アナログ／ディジタル）変換２０５と、軟判定受信データの軟判定復号を行い、誤りを訂正してＳＦＩ受信信号をＯＴＵｋフレーム１０へ出力する軟判定ＦＥＣデコーダ２０６とから構成される。Ｄ／Ａ変換２０２は伝送速度に対応したクロックを生成するＣＭＵ２０７を有し、Ａ／Ｄ変換２０５は伝送速度に対応したサンプリングクロックを生成するＣＭＵ２０８を有する。
【００１５】
図３は、例えば、ITU-T Recommendation G.709勧告に示されたＯＴＵｋフレームを示す構造図である。図３において、ＯＴＵｋフレームは、クライアント信号のような実際の通信データを格納するためのペイロード、フレーム同期のためのＦＡ  ＯＨ（Frame Alignment OverHead）、保守監視情報のためのＯＴＵｋ  ＯＨおよびＯＤＵｋ  ＯＨ（Optical channel Data Unit-k OverHead）、および、ペイロードのマッピングのためのＯＰＵｋ  ＯＨ（Optical channel Payload Unit−ｋ）から構成され、さらに、伝送後の光品質の劣化によるビット誤りを訂正するための誤り訂正符号の情報を格納するＦＥＣ冗長領域を有している。通常、誤り訂正符号としては、リード・ソロモン符号（以下、ＲＳ符号とする。）（255,239）が用いられる。なお、一般的に、ＦＡ  ＯＨ、ＯＴＵｋ  ＯＨ、ＯＤＵｋ  ＯＨ、および、ＯＰＵｋ  ＯＨから構成された部分をオーバヘッドと呼ぶ。
【００１６】
このように、光通信システムにおいては、伝送フレームとして、実際に送信したい情報データであるペイロードに、オーバヘッドと誤り訂正符号とを付加したものを形成し、それを高速かつ長距離に伝送している。
【００１７】
次に、図４を参照して動作について説明する。図４（ａ）は、軟判定ＦＥＣエンコーダ２０１の出力信号および軟判定ＦＥＣデコーダ２０６の入力信号における伝送フレームの構成を示しており、クライアント信号として、ＩＥＥＥ８０２．３ｂａにおいて検討されている１００ギガビットイーサネット（登録商標）（以下、１００ＧｂＥとする）等を収容するＯＴＵ４を拡張したＯＴＵ４Ｖフレームの一例を示したもので、図３に示したＯＴＵｋフレームと同様の構成であるが、ＦＥＣ冗長領域を２つの硬判定ＦＥＣ冗長領域に分割し、さらに、軟判定ＦＥＣ冗長領域が付加されている。
【００１８】
図４（ａ）の伝送フレームに対して、まず、ＯＴＵｋフレーム生成１０１では、クライアント送信信号を図４（ａ）のペイロードへマッピングし、ＯＨへ各種オーバヘッド情報を付加し、硬判定ＦＥＣエンコーダ１０２にて、外符号としての誤り訂正符号化を行い、硬判定ＦＥＣ冗長領域に誤り訂正符号情報を格納する。ここで、硬判定ＦＥＣエンコーダ１０２では、例えば、ＲＳ符号やＢＣＨ符号などを組み合わせた連接符号化を行い、それぞれの誤り訂正符号情報を２分割したＦＥＣ冗長領域にそれぞれ格納する。
【００１９】
次に、軟判定ＦＥＣエンコーダ２０１では、内符号として軟判定復号のための誤り訂正符号、例えば、ＬＤＰＣ符号化を行い、軟判定ＦＥＣ冗長領域に誤り訂正符号情報を格納する。軟判定ＦＥＣエンコーダ２０１にて構成されたＯＴＵ４Ｖフレームの出力信号はＤ／Ａ変換２０２においてアナログ信号に変換され、Ｅ／Ｏ２０３においてアナログ信号から光信号に変換されて光ファイバから構成される通信路に出力される。
【００２０】
一方、受信側では、Ａ／Ｄ変換２０５が、通信路により品質の劣化した受信アナログ信号をアナログ／ディジタル変換して、ｑビットの軟判定受信データを軟判定ＦＥＣデコーダ２０６へ出力する。軟判定ＦＥＣデコーダ２０６は、ｑビットの軟判定情報と、軟判定ＦＥＣ冗長領域に格納されたＬＤＰＣ符号の誤り訂正符号情報を用いて軟判定復号処理を行い、ＳＦＩ受信信号としてＯＴＵｋフレーム終端１０３へ出力する。
【００２１】
ここで、図４（ａ）のＯＴＵ４Ｖフレームの伝送速度は約１２６Ｇｂ／ｓとなるが、多値変調、例えば、ＤＰ−ＱＰＳＫ（Dual Polarization Quadrature Phase Shift Keying）を用いた場合には、４値となるため３１．５Ｇｂａｕｄとなる。Ｄ／Ａ変換２０２のＣＭＵ２０７や、Ａ／Ｄ変換２０５のＣＭＵ２０８では、例えば、これを２倍オーバサンプリングするためのクロック、６３ＧＨｚクロックを生成する。
【００２２】
図４（ｂ）は、同様に、軟判定ＦＥＣエンコーダ２０１の出力信号および軟判定デコーダ２０６の入力信号における伝送フレームの構成を示しているが、クライアント信号として、ＩＥＥＥ８０２．３ｂａにおいて検討されている４０ギガビットイーサネット（登録商標）（以下、４０ＧｂＥとする）等を収容するＯＴＵ３を拡張したＯＴＵ３Ｖフレームの一例を示したもので、図３に示したＯＴＵｋフレームと同様の構成であるが、ＦＥＣ冗長領域を２つの硬判定ＦＥＣ冗長領域に分割し、さらに、軟判定ＦＥＣ冗長領域が付加されている。
【００２３】
図４（ｂ）の軟判定ＦＥＣ冗長領域は、図４（ａ）の軟判定ＦＥＣ冗長領域よりも大きくしており、伝送速度は約６３Ｇｂ／ｓとなる。図４（ａ）に示すＯＴＵ４Ｖフレームフォーマットのトータルの列数が２８８・１６＝４６０８の列数を有するのに対し、図４（ｂ）に示すＯＴＵ４Ｖフレームフォーマットの列数は３５６・１６＝５６９６の列数を有する。したがって、例えば、ＤＰ−ＱＰＳＫ変調を用いた場合には、１５．７５Ｇｂａｕｄとなり、Ｄ／Ａ変換２０２のＣＭＵ２０７や、Ａ／Ｄ変換２０５のＣＭＵ２０８では、これを２倍オーバサンプリングするためのクロック、例えば、３１．５ＧＨｚクロックを生成する。
【００２４】
図５は、ＣＭＵ２０７および２０８の詳細を示す構成図であり、ＣＭＵ２０７および２０８は、軟判定ＦＥＣエンコーダ２０１あるいは軟判定ＦＥＣデコーダ２０６からの参照クロックとＮ分周器２００６からのフィードバッククロックとを比較する位相比較器２００１と、位相比較器２００１からの比較結果を平滑化するフィルタ２００２と、平滑化された位相誤差信号の電圧に応じた周波数を出力するＶＣＯ２００３と、ＶＣＯ２００３の出力を２分周する２分周器２００４と、ＶＣＯ２００３からのクロックと２分周器２００４からのクロックとのいずれかを選択し、サンプリングクロックを出力するセレクタ２００５と、セレクタ２００５からのサンプリングクロックをＮ分周して位相比較器２００１へ出力するＮ分周器２００６とから構成される。
【００２５】
図４（ａ）に示したＯＴＵ４Ｖに対応する場合に、セレクタ２００５はＶＣＯ２００３からのクロックを選択して、６３ＧＨｚのサンプリングクロックを出力する。一方、図４（ｂ）に示したＯＴＵ３Ｖに対応する場合に、セレクタ２００５は２分周器２００４からのクロックを選択して、３１．５ＧＨｚのサンプリングクロックを出力する。
【００２６】
以上のように、収容するクライアント信号に応じてＦＥＣ冗長領域を変更することで、ＯＴＵ４ＶとＯＴＵ３Ｖの伝送速度の比をほぼ整数倍とし、ＶＣＯの出力を分周するか否かで選択してサンプリングクロックを生成するようにしたので、ＶＣＯの動作周波数範囲を大きく広げたときに生じるジッタ等のクロック品質の劣化がなく、また、ＶＣＯを複数配置する必要がないので、省回路規模で、ＯＴＵ４ＶとＯＴＵ３Ｖに対応した回路の共用化が可能となる。
【００２７】
また、例えば、軟判定ＦＥＣエンコーダ、軟判定ＦＥＣデコーダ、Ｄ／Ａ変換およびＡ／Ｄ変換の半導体集積回路化が、容易にＯＴＵ４ＶとＯＴＵ３Ｖとで共用化するよう構成できる。
【００２８】
さらに、ＯＴＵ３Ｖでは、ＦＥＣ冗長領域を大きくすることができるので、符号化利得が大幅に向上し、伝送距離の長距離化や多波長化による大容量化が可能となる。
【００２９】
なお、上記実施の形態１では、内符号として軟判定ＦＥＣのＬＤＰＣ符号の例を示したが、他の軟判定ＦＥＣ、例えば、畳み込み符号やブロックターボ符号等を持いてもよく、また、硬判定ＦＥＣの外符号としてＲＳとＢＣＨによる連接符号の例を示したが、他の連接符号、例えば、ＲＳとＲＳ、ＢＣＨとＢＣＨを用いてもよく、さらに、外符号として積符号を用いても上記実施の形態と同様な効果を奏することは言うまでもない。
【００３０】
また、上記実施の形態１において、各誤り訂正符号処理の前段や後段において、インタリーブやデインタリーブを随時行い、伝送路で生じる誤りを誤り訂正復号する際に分散させてもよい。
【００３１】
実施の形態２．
以上の実施の形態１では、外符号の硬判定ＦＥＣに連接符号あるいは積符号などを用いるようにしたものであるが、次に、図６に示すように、外符号としてＯＴＵｋフレームと同一の硬判定ＦＥＣ冗長領域とする実施の形態を示す。硬判定ＦＥＣとしては、例えば、一般的なＲＳ（255,239）符号や、符号長を長くしたＲＳ（1020,956）のペアレント符号などがある。図６（ａ）に示すＯＴＵ４Ｖフレームフォーマットのトータルの列数が２８８・１６＝４６０８の列数を有するのに対し、図６（ｂ）に示すＯＴＵ３Ｖフレームフォーマットの列数は３５６・１６＝５６９６の列数を有する。
【００３２】
なお、実施の形態２では、外符号としてＲＳの例を示したが、ＢＣＨや他の符号としても良い。
【００３３】
実施の形態３．
以上の実施の形態２では、外符号の硬判定ＦＥＣにＲＳ等の符号を用い、ＯＴＵｋフレームのＦＥＣ冗長領域に外符号の符号化情報を格納するようにしたものであるが、次に、図７および図８に示すように、軟判定ＦＥＣ符号のみを用い、ＦＥＣ冗長領域をＯＴＵ４ＶとＯＴＵ３Ｖで変更するよう構成してもよく、また、硬判定ＦＥＣ符号のみを用いても同様な効果を奏することは言うまでもない。
【００３４】
図７（ａ）に示すＯＴＵ４Ｖフレームフォーマットのトータルの列数が２８８・１６＝４６０８の列数を有するのに対し、図７（ｂ）に示すＯＴＵ３Ｖフレームフォーマットの列数は３５６・１６＝５６９６の列数を有する。また、図８（ａ）に示すＯＴＵ４Ｖフレームフォーマットのトータルの列数が２５５・１６＝４０８０の列数を有するのに対し、図８（ｂ）に示すＯＴＵ３Ｖフレームフォーマットの列数は３３０・１６＝５２８０の列数を有する。
【００３５】
実施の形態４．
以上の実施の形態では、ＯＨ、ペイロードおよびＦＥＣ冗長領域から構成されるフレームとしたが、これにトレーニング領域等の誤り訂正とは無関係の別の領域を加えた構成としても同様な効果を奏することは言うまでもない。
【符号の説明】
【００３６】
１ａ，１ｂ  光伝送装置、２  通信路、１０  ＯＴＵｋフレーマ、２０  ディジタル信号処理光トランシーバ、１０１  ＯＴＵｋフレーム生成、１０２  硬判定ＦＥＣエンコーダ、１０３  ＯＴＵｋフレーム終端、１０４  硬判定ＦＥＣデコーダ、２０１  軟判定ＦＥＣエンコーダ、２０２  Ｄ／Ａ変換、２０３  Ｅ／Ｏ、２０４  Ｏ／Ｅ、２０５  Ａ／Ｄ変換、２０６  軟判定ＦＥＣデコーダ、２０７，２０８  ＣＭＵ、２００１  位相比較器、２００２  フィルタ、２００３  ＶＣＯ、２００４  ２分周器、２００５  セレクタ、２００６  Ｎ分周器。
【図１】
0005566400.tif 000002
【図２】
0005566400.tif 000003
【図３】
0005566400.tif 000004
【図４】
0005566400.tif 000005
【図５】
0005566400.tif 000006
【図６】
0005566400.tif 000007
【図７】
0005566400.tif 000008
【図８】
0005566400.tif 000009